(57)【要約】【課題】複数の外部映像出力機器を接続し、それぞれの外部映像出力機器から入力した映像データの合成処理を行う際に、映像表示装置側での信号処理に適した映像表示形式での映像データ出力を、常に上記外部映像出力機器に促す事が可能な装置を提供する事。【解決手段】外部映像出力機器の映像を、例えばピクチャ・イン・ピクチャ表示における副映像（子画面）とする場合には、読出し専用メモリ１７２に記憶されている複数組の制御情報のうち低解像度となる映像表示形式の制御情報を優先的に読み出して上記外部映像出力機器に送信するように処理を行い、上記外部映像出力機器からの映像を上記副映像とする場合以外には、上記読出し専用メモリ１７２に記憶されている上記複数組の制御情報のうち高解像度となる映像表示形式の制御情報を優先的に読み出して上記外部映像出力機器に送信するように処理を行う制御回路を設けた。【選択図】　図１
2004013132.tif 000002
【特許請求の範囲】
【請求項１】
外部に接続される映像出力機器からの映像データが入力され、該入力映像信号に基づいて、表示デバイス上に映像の表示を行うようにした映像表示装置において、
上記表示デバイスが対応可能な映像信号フォーマットに関する制御情報を記憶するメモリと、
該メモリから読み出された制御情報を上記映像出力機器に出力するための端子と、
上記映像出力機器からの映像データに基づき上記表示デバイス上で表示される映像のサイズが変更された場合に、上記端子から上記映像出力機器へ出力される上記制御情報の内容を変更する制御回路と
を備えることを特徴とする映像表示装置。
【請求項２】
上記映像信号フォーマットは、水平ドット数と垂直ライン数、及び走査方式の種類を含むことを特徴とする請求項１に記載の映像表示装置。
【請求項３】
上記走査方式の種類は、飛び越し走査または順次走査のいずれかを表すものであることを特徴とする請求項２に記載の映像表示装置。
【請求項４】
上記メモリは、上記制御情報として、第１の映像信号フォーマットを示す第１の制御情報と、該第１の映像信号フォーマットよりも精細度が低い第２の映像信号フォーマットを示す第２の制御情報とを記憶し、
上記制御回路は、上記表示デバイス上で表示される上記映像が第１のサイズであるときは、上記第１の制御情報を上記端子に供給し、上記映像が上記第１のサイズよりも小さい第２のサイズであるときは、上記第２の制御情報を上記端子に供給するように動作することを特徴とする請求項１または２に記載の映像表示装置。
【請求項５】
上記メモリは、互いに映像信号フォーマットが異なる複数の制御情報を、その精細度の高さに従った順番で記憶し、
上記制御回路は、上記表示デバイス上で表示される上記映像が第１のサイズであるときは、上記順番通りに上記メモリから上記複数の制御情報を読み出し、上記映像が上記第１のサイズよりも小さい第２のサイズであるときは、上記順番とは逆の順番で上記メモリから上記複数の制御情報を読み出すことにより、上記端子から出力される制御情報の内容を変更するようにしたことを特徴とする請求項１または２に記載の映像表示装置。
【請求項６】
外部の映像出力機器からの映像と他の映像の一方を主映像とし、他方を副映像として合成処理が可能な映像信号処理回路と、
上記映像信号処理回路からの出力映像を可視表示する表示デバイスと、
該表示デバイスで対応可能な複数の映像信号フォーマットに関する制御情報を複数個、第１の順番で記憶するメモリと、
上記映像出力機器と接続可能で、該映像出力機器から出力された映像データの入力、及び上記メモリから読み出された上記複数の制御情報の出力を行う入出力端子と、
上記映像信号処理回路で上記映像出力機器からの映像を主映像として合成処理する場合には、上記メモリ内の複数の制御情報を上記第１の順序に従って上記入出力端子に供給し、副映像として合成処理する場合には、上記メモリ内の複数の制御情報を、上記第１の順番とは異なる第２の順番に従って上記入出力端子に供給するように動作する制御回路と、
を備えることを特徴とする映像表示装置。
【請求項７】
上記映像信号処理回路で合成処理を行わない場合は、上記制御回路は、上記メモリ内の複数の制御情報を上記第１の順序に従って上記入出力端子に供給することを特徴とする請求項６に記載の映像表示装置。
【請求項８】
上記制御回路は、上記映像信号処理回路で上記映像出力機器からの映像を主映像として合成処理する場合には、上記メモリ内の複数の制御情報を上記第１の順番で読み出して上記入出力端子に供給し、副映像として合成処理する場合には、上記メモリ内の複数の制御情報を、上記第１の順番とは異なる第２の順番で読み出して上記入出力端子に供給することを特徴とする請求項６または７に記載の映像表示装置。
【請求項９】
上記メモリは読書き兼用メモリであり、
上記制御回路は、上記映像信号処理回路で上記映像出力機器からの映像を主映像として合成処理する場合には、上記メモリ内の複数の制御情報を上記第１の順序で読み出して上記入出力端子に供給し、副映像として合成処理する場合には、上記メモリ内の複数の制御情報を、上記読書き兼用メモリ内の上記複数の制御情報を上記第１の順番とは異なる第２の順番で記憶するように書換え処理を行った後に読み出して、上記入出力端子に供給することを特徴とする請求項６または７に記載の映像表示装置。
【請求項１０】
上記第１の順番は、上記複数の制御情報に含まれる映像信号フォーマットの精細度の高さに従って定めた順番であり、上記第２の順番は、該第１の順番とは逆の順番であり、
上記制御回路は、上記映像信号処理回路で上記映像出力機器からの映像を副映像として合成処理する場合に、上記第２順番で上記複数の制御情報を上記入出力端子に供給することによって、上記映像出力機器からの映像を主映像として合成処理する場合よりも低い精細度の映像信号フォーマットを含む制御情報を、優先的に上記映像出力回路に送信するようにしたことを特徴とする請求項６乃至９のいずれかに記載の映像表示装置。
【請求項１１】
上記入出力端子は、上記映像出力機器に対して、任意のタイミングで上記複数組の制御情報の読出しを開始するように促す指示信号を、更に出力することを特徴とする請求項６乃至１０のいずれかに記載の映像表示装置。
【請求項１２】
上記入出力端子から入力する映像データは、少なくとも音声データ及び制御用データが重畳されたデジタル形式のデータであることを特徴とする請求項６乃至１１のいずれかに記載の映像表示装置。
【請求項１３】
上記映像出力機器は、デジタルテレビジョン放送を受信して映像データを出力するデジタルチューナであることを特徴とする映像表示装置。
【発明の詳細な説明】
【０００１】
【発明の属する技術分野】
本発明は、例えばデジタルチューナなどの映像出力機器との間で、映像の形状や解像度等の映像表示形式、その他の制御データの通信を行い、更に映像信号及び同期信号等をデジタルデータで受信して可視表示することが可能な映像表示装置に関する。
【０００２】
【従来の技術】
複数種類の映像信号フォーマット（表示画素数及びライン数等の解像度情報や、水平、垂直走査周波数の情報を含む。以下、表示形式と呼ぶ）に対応可能な所謂マルチスキャン方式のディスプレイ装置にコンピュータを接続して使用する場合、ディスプレイ装置で対応可能な表示形式の情報等を、接続されているコンピュータに送信することが行われている。これにより、コンピュータは、予め用意している複数の表示形式の映像信号から、上記ディスプレイ装置からの送信情報に示される表示形式に合致した映像信号を選択して、ディスプレイ装置に出力することが可能となる。
【０００３】
上記処理を実現する技術として、特許第２６３５８３７号公報や特許第２８１５３３９号公報等に記載のものが知られている。これらの公報には、コンピュータが、ディスプレイ装置の内部に搭載された不揮発性メモリに記憶されている制御データを読み出して受信し、該制御データに基づいて、接続されたディスプレイ装置に適した表示形式で映像信号を出力することが記載されている。
【０００４】
【発明が解決しようとする課題】
近年、民生用映像機器のデジタル化が進んでおり、機器間のインタフェースもデジタル伝送による方式が多く検討されるようになっている。特に液晶ディスプレイやプラズマディスプレイ等、映像信号をデジタルデータのまま処理可能なディスプレイ装置の登場により、デジタルインタフェースは一層重要視されてきている。また、デジタル放送では解像度や垂直及び水平走査周波数の異なる多くの映像表示形式を規格として定義している。このため、上記デジタル放送を受信して映像データを出力するためのデジタルチューナ等の映像出力機器とディスプレイ装置（テレビジョン受像機等）との間では、解像度や垂直及び水平走査周波数の異なる多くの映像表示形式の映像データが送受可能であることが要求される。従って、上記従来技術を、コンピュータシステムに限らず、デジタルチューナとテレビジョン受像機のような民生機器で構成されるシステムに対しても適用することが有効であると考えられる。
【０００５】
ところで、テレビジョン受像機においては、ある映像信号の映像と他の映像信号の映像とを並列表示（いわゆる２画面表示）したり、ある映像信号の映像の中に、他の映像信号の映像を子画面表示（いわゆるピクチャ・イン・ピクチャ表示）したりすることが行われる。しかしながら、上記従来技術では、２画面表示やピクチャ・イン・ピクチャ表示等のように、ある映像をフル画面表示（表示デバイスの表示面全体に映像を表示する形態）よりも小さいサイズで表示する場合、すなわち表示デバイスの水平ドット数及び垂直ライン数よりも少ないドット数及びライン数で映像を表示する場合の、上記制御データの取り扱いについては何ら考慮されていなかった。
【０００６】
本発明は、上記課題に鑑みて為されたものであり、その目的は、外部の映像出力機器が、表示デバイス上で表示される映像のサイズに応じた映像信号を出力することを可能にさせるための映像表示装置を提供することにある。
【０００７】
【課題を解決するための手段】
上記目的を達成するための、本発明に係る映像表示装置は、表示デバイス上で表示される外部映像機器からの映像サイズが変更された場合に、該外部映像機器に送信される、該表示デバイスが対応可能な表示形式（映像信号フォーマット）を示す制御情報の内容を変更して、当該映像出力機器に送信するように構成した制御回路を設けたことを特徴とするものである。
【０００８】
上記制御情報はメモリに記憶される。この制御情報として、例えば、第１の映像信号フォーマットを示す第１の制御情報と、該第１の映像信号フォーマットよりも精細度が低い第２の映像信号フォーマットを示す第２の制御情報とを用意し、上記制御回路は、上記表示デバイス上の映像が第１のサイズであるときは、上記第１の制御情報を映像出力機器に送信し、上記映像が第１のサイズよりも小さい第２のサイズであるときは、上記第２の制御情報を映像出力機器に送信するようにしてもよい。
【０００９】
また、上記制御情報は、例えば複数個用意され、その表示形式の精細度の高い順番にメモリに記憶されてもよい。この場合、上記制御回路は、表示デバイス上の映像が第１のサイズ（例えばフル画面表示）であるときは、上記順番でメモリから複数の制御情報を読み出し、上記映像が第１のサイズよりも小さい第２のサイズであるときは、上記順番とは逆の順番で上記メモリから上記複数の制御情報を読み出すことにより、映像出力機器に送信される制御情報の内容を変更するようにしてもよい。
【００１０】
また、表示デバイスで対応可能な複数の映像信号フォーマットに関する制御情報を複数個、第１の順番でメモリに記憶し、映像信号処理回路で映像出力機器からの映像を（例えばピクチャ・イン・ピクチャ画面の）主映像とする場合には、上記メモリ内の複数の制御情報を上記第１の順序に従って、映像出力機器と接続される入出力端子に供給し、副映像として合成処理する場合には、上記メモリ内の複数の制御情報を、上記第１の順番とは異なる第２の順番に従って上記入出力端子に供給するように制御回路を動作させてもよい。
【００１１】
【発明の実施の形態】
以下、図面を用いて本発明の実施形態を説明する。
【００１２】
まず、本発明の第１の実施形態について、図１及び図２を参照しつつ説明する。図１は本発明に係る映像表示装置の実施形態を示すブロック図であり、図２は、図１に示された入出力回路１６０の詳細を示す回路図である。尚、本実施形態では、映像表示装置１００をデジタル放送対応のテレビジョン受像機として説明する。
【００１３】
本実施形態に係る映像表示装置１００は、主として２種類の映像信号が入力可能に構成されている。まず１つは、テレビジョン放送信号であり、チューナ１１０により選局されたチャンネルのテレビジョン放送信号が、図示しないアンテナ及びそのアンテナに接続される受信端子１０１を介して、チューナ１１０に供給される。本実施形態においては、テレビジョン放送信号はデジタル信号としてあるが、ＮＴＳＣ方式などのアナログ信号でもよい。このチューナ１１０によるテレビジョン信号の受信動作及びその復調、復号処理などについては、本発明の主旨と直接的な関係がないので省略する。
【００１４】
２つ目は、デジタルＶＴＲやＤＶＤプレーヤ、ＨＤレコーダ、デジタル放送受信用セットトップボックス等の外部映像出力機器からの映像データ（音声データも含む）であり、該映像出力機器と接続可能な入出力端子１０２、１０３、１０４を介して入出力回路１６０ａ〜１６０ｃに供給される。ここでは、入出力端子を３つ設けているが、その３つ全てに映像出力機器を接続する必要はなく、１つだけ接続してもよいことは言うまでもない。映像出力機器からの映像データは、デジタル形式であってもアナログ形式であってもよい。
【００１５】
入出力端子１０２、１０３、１０４は、それぞれデジタル化された映像データ、音声データ、同期データ、及びその他の制御信号を入力する接点群ｘと、上記映像出力機器に対して映像表示装置１００の稼動状態を知らせるための検知信号を出力する接点群ｙと、上記外部映像出力機器との間で制御データ等の入出力を行うための接点群ｚとを含む。
【００１６】
例えば、図１の入出力端子１０２（入出力端子１０３、１０４でも同様）に外部映像出力機器が接続された場合、映像出力機器は、まず入出力端子１０２の接点群ｙから出力される検知信号を入力することにより、映像表示装置１００との接続が為されたことを検知する。具体的には入出力端子１０２の接点群ｙを図１に示したように電源ライン（＋５Ｖライン等）に接続しておき、一方、入出力端子１０２の接点群ｙと接続される外部映像出力機器の端子の接点を、上記外部映像出力機器に内蔵されたマイコン等が監視しておくようにする。上記構成とする事により、入出力端子１０２の接点群ｙと接続される外部映像出力機器の端子の接点は、映像表示装置１００との接続が為された状態ではＨレベルとなり、映像表示装置１００との接続が為されていない状態ではＨレベルではなくなる。したがって、上記外部映像出力機器のマイコン等が、入出力端子１０２の接点群ｙと接続される外部映像出力機器の端子の接点を監視しておく事により、映像表示装置１００の接続を検知する事が可能となる。
【００１７】
映像表示装置１００の接続を検知すると、映像出力機器は、映像表示装置１００に対して、読出し専用メモリ１７２に記憶されている映像表示装置１００で正しく表示することが可能な映像信号の映像表示形式に関する制御情報（以下、単に「制御情報」と呼ぶ）を読み出すための制御命令を出力する。入出力端子１０２の接点群ｚを介して映像出力機器から送信されてきた上記制御命令は、入出力制御回路１６０ａのレシーバ２１１を介してシリアル／パラレル変換器に入力され、ここでシリアル形式のデータからパラレル形式のデータへの変換処理を施される。シリアル／パラレル変換器２１２から出力された制御命令は、指令復号回路２１３で制御命令のコマンド翻訳を行い、命令内容を必要に応じて制御回路１５０に送信する。ここでは、上記外部映像出力機器から送信された制御命令は、読出し専用メモリ１７２に記憶されている映像表示装置１００で正しく表示する事が可能な映像信号の映像表示形式に関する制御情報を読み出すための制御命令であるため、指令復号回路２１３は制御回路１５０の指示に従って、読出し専用メモリ１７２にアクセスするためのアドレス信号をアドレス出力端子２０５から出力するように処理を行う。
【００１８】
アドレス出力端子２０５から出力された、読出し専用メモリ１７２にアクセスするためのアドレス信号は、アドレス選択器１７１を介して読出し専用メモリ１７２に供給される。読出し専用メモリ１７２は入力したアドレス信号に応じて、内部に記憶されている複数組の制御情報を、所定の順番で順次出力する。読出し専用メモリ１７２から出力された上記複数組の制御情報は分配器１７３を介して情報処理回路２１４に入力され、ここで必要に応じて制御回路１５０から出力された制御命令と併せて出力処理を施され、パラレル／シリアル変換器２１５、ドライバ２１６を介して入出力端子１０２の接点群ｚから出力される。入出力端子１０２の接点群ｚから出力された制御命令を入力した外部映像出力機器は、複数組の制御情報を参照して、映像表示装置１００で正しく表示する事が可能な映像表示形式での映像データ出力を行う事が可能となる。
【００１９】
なお、上記実施形態の説明では、入出力端子１０２を介して外部映像出力機器との間で送受する制御データはシリアル伝送されるものとして説明するが、言うまでも無く、上記制御データの送受をパラレル伝送で行っても良い。この場合、上記シリアル／パラレル変換器２１２及びパラレル／シリアル変換器２１５等は不要となる。また、上記説明の読出し専用メモリ１７２は、例えばＥＥＰＲＯＭのように書換えが可能なメモリであっても問題ない。
【００２０】
次に、合成回路１３３で映像信号の合成処理を行わずに、チューナ１１０で受信したテレビジョン信号、または入出力制御回路１６０ａ〜１６０ｃで受信された外部映像機器の映像信号のいずれかを表示する（フル画面表示を行う）場合の、映像表示装置１００各部の動作について説明する。この場合において、チューナ１１０で受信した映像データを表示するときには、音声選択器１２１及び主映像選択器１２２をチューナ１１０からの出力を選択するように、また、入出力端子１０２、１０３、１０４の何れかから入力した映像データを表示する場合には、音声選択器１２１及び主映像選択器１２２を入出力端子１０２、１０３、１０４から入力した映像データの何れかを選択するように、制御回路１５０により制御を行う。
【００２１】
主映像選択器１２２から出力された映像データは、次に主スキャン変換回路１３１に入力され、ここで必要に応じて映像表示形式の変換処理を施されて、合成回路１３３に出力される。映像データの合成処理を行わない場合には、合成回路１３３は入力した映像データをそのまま映像信号処理回路１３５に出力する。また同時に、同期データを偏向回路１３４に出力する。映像信号処理回路１３５で適宜必要な信号処理を施された映像信号はＣＲＴ１４１に供給され、偏向回路１３４により駆動された偏向ヨーク１４２の電子ビーム制御により、映像の可視表示が実現される。一方、音声選択器１２１から出力された音声データは音声信号処理回路１３６で適宜必要な処理を施されてスピーカ１４３からの音声出力を実現する。
【００２２】
次に、合成回路１３３において映像データの合成処理を行うときの各部の動作について、チューナ１１０から出力される映像データを主映像データ（親画面）、受信回路１６１ａから出力される映像データを副映像データ（子画面）として、図３に示すようなピクチャ・イン・ピクチャ表示を行う場合を例にして説明する。
【００２３】
上記ピクチャ・イン・ピクチャを実現する場合、まず制御回路１５０は、音声選択器１２１及び主映像選択器１２２をチューナ１１０からの出力を選択するように、また副映像選択器１２３を受信回路１６１ａからの出力を選択するように制御する。音声信号処理回路１３６に入力された、チューナ１１０から出力された音声データは、映像データの合成処理を行わない場合と同様の処理を行い、スピーカ１４３からの音声出力を実現する。一方、主映像選択器１２２及び副映像選択器１２３から出力された主映像データ及び副映像データは、それぞれ主スキャン変換回路１３１及び副スキャン変換回路１３２に入力されて、適宜状況に適した信号処理を施される。
【００２４】
例えば、ＣＲＴ１４１で正しく表示可能な映像表示形式のうち最も高解像度となる映像表示形式が、水平１９２０ドット×垂直１０８０ライン（有効表示部分のみ）の順次走査方式である場合、主スキャン変換回路１３１では、チューナ１１０から入力した映像データの映像表示形式が水平１９２０ドット×垂直１０８０ラインの順次走査方式の映像データであるならば、そのまま合成回路１３３への出力を行い、水平１９２０ドット×垂直１０８０ラインの順次走査方式の映像データでないならば、上記水平１９２０ドット×垂直１０８０ラインの順次走査方式の映像データへの映像表示形式の変換処理を行う。一方、副スキャン変換回路１３２では、受信回路１６１ａから入力した映像データの映像表示形式を水平３２０ドット×垂直２４０ラインの順次走査方式の映像データへと変換する。主スキャン変換回路１３１及び副スキャン変換回路１３２でそれぞれ映像表示形式の変換処理を施された映像データは、合成回路１３３において、例えばデジタルメモリを用いて映像データの合成処理を施され、ＣＲＴ１４１に、図３に示したようなピクチャ・イン・ピクチャの映像として可視表示される。
【００２５】
テレビ等の映像表示機器では、表示デバイス（本実施形態ではＣＲＴ１４１に相当する）の性能を最も有効に活用可能な高解像度の映像を優先的に表示するように設定しておく事が一般的である。したがって、映像表示機器側或いは映像出力機器側で、スキャン変換回路等を用いて映像表示形式を適宜変換して映像表示を行うようにしている。但し、映像表示機器側及び映像出力機器側の双方での映像表示形式の変換処理は、映像劣化を生じる原因となりうる。したがって、上記映像表示形式の変換処理は映像表示機器側と映像出力機器側とのいずれか一方でのみ行うようする事が好ましい。
【００２６】
このため本実施形態の映像表示装置１００では、読出し専用メモリ１７２に、図４（Ａ）に示すような順番で、映像表示装置１００で正しく表示可能な映像信号の表示形式に関する制御情報を複数組記憶するようにしている。この制御情報は、水平ドット数及び垂直ライン数を示す情報と、「ｐ」または「ｉ」で表される走査方式を示す識別情報を含んでいる。「ｐ」は順次走査方式、「ｉ」は順次走査方式を表す。
【００２７】
本実施形態では、図４（Ａ）に示されるように、複数の制御情報を精細度の高い順に記憶している（すなわち、最も小さいアドレス番号（０）に格納されている制御情報が最も高い精細度を持ち、最も大きいアドレス番号に格納されている制御情報が最も低い精細度を持つ）。即ち、映像表示装置１００にて表示形式の変換処理を必要とせず、ＣＲＴ１４１の性能を最も有効に活用可能な表示形式である水平１９２０ドット×垂直１０８０ラインの順次走査方式の表示形式の制御情報を、最も優先度の高い制御情報として、アドレス０番地に記憶している。また、アドレス１〜４番地には主スキャン変換回路１３１及び副スキャン変換回路１３２において対応可能な映像表示形式の制御情報を記憶しておく。本実施形態では、上記アドレス１〜４番地には、水平１２８０ドット×垂直７２０ラインの順次走査方式、水平１９２０ドット×垂直１０８０ラインの飛越し走査方式、水平７２０ドット×垂直４８０ラインの順次走査方式、水平７２０ドット×垂直４８０ラインの飛越し走査方式、の５種類の表示形式の制御情報を記憶しておく。読出し専用メモリ１７２に記憶されている上記複数組の制御情報を読み出した、入出力端子１０２に接続された外部映像出力機器は、可能であるならば、水平１９２０ドット×垂直１０８０ラインの順次走査方式の映像表示形式での映像データ出力を行うように動作する。
【００２８】
しかし、入出力端子１０２に接続された映像出力機器から入力した映像データを、映像データの合成処理を行わず映像表示する場合や、映像データの合成処理を行う場合でも主映像データとして扱う場合には、上記水平１９２０ドット×垂直１０８０ラインの順次走査方式の映像データを入力する事に何ら問題は無いが、入力端子１０２に接続された映像出力機器から入力した映像データを、映像データの合成処理を行う場合の副映像データとして扱う場には、上記水平１９２０ドット×垂直１０８０ラインの順次走査方式の映像データの入力はオーバースペックとなる。即ち、入力端子１０２に接続された映像出力機器から出力された映像データを、映像データの合成処理を行う場合の副映像データとして扱う場には、水平画素は３２０ドット、垂直ラインは２４０ライン分あれば十分であり、上記水平画素１９２０ドット、垂直ライン１０８０ライン分ものデータは不要という事になる。更には、高解像度の表示形式の映像データは、伝送レートが高くなるため、映像出力機器と映像表示装置１００との間で伝送エラーを生じる原因となりうるものであり、また映像出力機器のマイコン及び映像表示装置１００の制御回路１５０への負荷増加の原因ともなる、等のデメリットがある。
【００２９】
したがって、本発明の実施形態に係る映像表示装置１００においては、入出力端子１０２（または入出力端子１０３、１０４）に接続された映像出力機器から入力した映像データを、映像データの合成処理を行う場合の副映像データとして扱う場合には、上記外部映像出力機器に対して、データ伝送レートが低くて済む映像表示形式の映像データ、即ち低解像度の表示形式の映像データを出力するように促す。例えば、本実施形態では、入出力端子１０２に接続されている外部映像出力機器に対して、水平７２０ドット×垂直４８０ラインの飛越し走査方式の映像表示形式の映像データを出力するように促す。
【００３０】
上記処理を実現する方法として、本実施形態では、指令復号回路２１３から出力される、読出し専用メモリ１７２にアクセスするためのアドレス信号の出力処理を制御回路１５０から制御できるように構成している。即ち、入出力端子１０２に接続された映像出力機器から入力した映像データを、映像データの合成処理を行わず映像表示する場合や、映像データの合成処理を行う場合でも主映像データとして扱う場合には、上記外部映像出力機器から出力された制御命令に対応して、図４（Ｂ）に示すような順番で、読出し専用メモリ１７２にアクセスするためのアドレス信号を出力するように、指令復号回路２１３を制御する。この結果、読出し専用メモリ１７２からは上記複数組の制御情報が第１の順番（精細度の高い順番）で出力される。一方、入出力端子１０２に接続された外部映像出力機器から入力した映像データを、映像データの合成処理を行う場合の副映像データとして扱う場には、図４（Ｃ）に示すような順番で、読出し専用メモリ１７２にアクセスするためのアドレス信号を出力するようにする。この結果、読出し専用メモリ１７２からは上記複数組の制御情報が、上記第１の順番とは逆の第２の順番で出力される。
【００３１】
映像出力機器は、先頭に位置するアドレスの（時間的に早い）制御情報から順次、その制御情報に示される表示形式で映像データが生成可能か否かを判定する。そして、可能と判断するとそのアドレスの制御情報を用いて映像データを生成し、それ以降のアドレスの制御情報を無視するように動作する。従って、図４（Ｂ）に示すような順番で複数の制御情報を送信した場合、アドレス０の制御情報が映像出力機器で生成可能と判断されると、そのアドレスにある１９２０×１０８０の順次走査方式の制御情報で映像データを作成し、アドレス１〜４の制御情報は無視される。同様に、図４（Ｃ）に示すような順番で複数の制御情報を送信した場合、アドレス４の制御情報が映像出力機器で生成可能と判断されると、そのアドレスにある７２０×４８０の飛び越し走査方式の制御情報で映像データを作成し、アドレス１〜４の制御情報は無視される。従って、本実施形態のように、複数の制御情報の映像出力機器に対する送信順序を逆にすることにより、映像出力機器で考慮される制御情報の優先順位を逆にすることができる。
【００３２】
このような制御を行うことにより、入出力端子１０２に接続された映像出力機器からは、可能であるならば、水平７２０ドット×垂直４８０ラインの飛越し走査方式の映像表示形式の映像データが出力される事になる。上記水平７２０ドット×垂直４８０ラインの飛越し走査方式の映像表示形式の映像データは、上記映像データを映像データの合成処理を行う場合の副映像データとして扱う場には必要充分なスペックであり、更に映像表示装置１００と外部映像出力機器との間の伝送レートが低くなるために伝送エラーが生じにくく、外部映像出力機器のマイコン及び映像表示装置１００の制御回路１５０の負荷を軽減する事も可能となる。
【００３３】
なお、映像表示装置１００と映像出力機器との接続を為したままの状態で、該映像出力機器から出力された映像データを、合成回路１３３における映像データの合成処理を行う際の主映像データから副映像データへと切換える場合（或いはその逆の場合）には、上記制御情報を再度読み込むための処理を、上記外部映像出力機器に行わせる必要がある。
【００３４】
上記処理を実現する方法としては、例えば、図１の入出力端子１０２、１０３、１０４の接点群ｙを、図１で図示したような電源ラインへの接続ではなく、制御回路１５０への接続とし、上記接点群ｙから出力する検知信号を制御回路１５０から制御可能な構成とすればよい。図１の映像表示装置１００を上記構成とする事により、映像表示装置１００と上記外部映像出力機器との接続を為したままの状態でも、上記接点群ｙから出力する検知信号を一旦Ｌレベルにした後、再度Ｈレベルにするように制御回路１５０により制御を行い、外部映像出力機器に対して、映像表示装置１００で正しく表示する事が可能な映像信号の映像表示形式に関する制御情報を取得するための通信処理を再度開始させる事が可能となる。
【００３５】
なお、上記実施形態で説明の処理は、合成回路１３３において、例えば、入出力端子１０４から入力し、受信回路１６１ｃから出力される映像データを主映像データ、入出力端子１０２から入力し、受信回路１６１ａから出力される映像データを副映像データとして、映像データの合成処理を行う場合、等でも同様に行われる。
【００３６】
このように、本発明は、表示デバイス上に表示される、外部の映像出力機器からの映像の大きさ（サイズ）に応じて、該映像出力機器に送信する制御情報の内容を変更するものである。上述した第１の実施形態においては、メモリ１７２に記憶された複数の制御情報の読み出し順序を異ならせることによって映像出力機器に送信する制御情報の内容を変更したが、映像出力機器からの映像を主映像もしくはフル映像表示にする場合は、図４（ａ）におけるアドレス０に格納された制御情報を選択し、それよりもサイズが小さい副映像とする場合は、図４（ａ）におけるアドレス３もしくは４に格納された制御情報（すなわち、アドレス０の制御情報よりも低い精細度の制御情報を格納するアドレス）を選択するように、上記制御回路１５０を構成するようにしてもよい。このように、映像の表示サイズが小さく変更されるに従って、制御情報を、精細度が低い情報を持つものに選択するようにして制御情報を変更するようにしても同様の効果を得ることができる。
【００３７】
次に、本発明の第２の実施形態について、図５を用いて説明する。同図においても、映像表示装置５００はデジタル放送対応テレビであるものとする。また、図１と同一番号を有するものは図１と同様の動作をするものとし、詳細の説明を省略する。
【００３８】
本実施形態の映像表示装置５００は、図１に示した本発明の第１の実施形態における読出し専用メモリ１７２が、制御回路５５０からの制御により、書込み処理を制御される読書き兼用メモリ５７２に置き換わったものである。本実施形態においては、指令復号回路２１３から出力される、読書き兼用メモリ５７２に記憶されている複数の制御情報を読み出すためのアドレス信号は、映像出力機器からの映像をピクチャ・イン・ピクチャ表示にするときでも、フル映像表示にするときでも、図４（Ｂ）に示した基本的な形式で出力される。
【００３９】
但し、この第２の実施形態では、読書き兼用メモリ５７２は、映像表示装置５００で正しく表示する事が可能な映像信号の映像表示形式に関する複数組の制御情報を記憶する順番が、制御回路５５０により書換えが可能な構成となっている。即ち、入出力端子１０２に接続された外部映像出力機器から入力した映像データを、映像データの合成処理を行わず映像表示する場合や、映像データの合成処理を行う場合でも主映像データとして扱う場合には、図６（Ａ）に示すような第１の順番とし、入力端子１０２に接続された外部映像出力機器から入力した映像データを、映像データの合成処理を行う場合の副映像データとして扱う場には、図６（Ｂ）に示すような第２の順番となるように、読書き兼用メモリ５７２の記憶内容を書き換えるようにする。なお、制御回路５５０が読書き兼用メモリ５７２の記憶内容を書き換える際には、アドレス切換回路５７１を制御し、制御回路５５０から読書き兼用メモリ５７２へ直接アクセスできるようにする。
【００４０】
上記説明のように、制御回路５５０からの制御に従って、適宜上記読書き兼用メモリ５７２に記憶されている複数の制御情報の記憶順序を書き換えるように処理を行う事により、上記説明の第１の実施形態と同様の効果を得る事が可能となる。
【００４１】
次に、本発明の第３の実施形態について、図７を用いて説明する。同図において、７００は本発明の映像表示装置であり、本実施形態でも映像表示装置７００はデジタル放送対応テレビであるものとする。また、図１または図５と同一番号を有するものは図１または図５と同様の動作をするものとし、詳細の説明を省略する。
【００４２】
本実施形態の映像表示装置７００では、図１に示した本発明の第１の実施形態における読出し専用メモリ１７２の替わりに、第１の読出し専用メモリ７７２及び第２の読出し専用メモリ７７３を用意している。なお、第１の読出し専用メモリ７７２には図６（Ａ）に示した第１の順番で、また第２の読出し専用メモリ７７３には図６（Ｂ）に示した第２の順番で、映像表示装置７００で正しく表示する事が可能な映像信号の映像表示形式に関する複数組の制御情報を記憶させておく。
【００４３】
本実施形態の構成の映像表示装置７００では、上記第２の実施形態と同様に、第１の読出し専用メモリ７７２及び第２の読出し専用メモリ７７３に記憶されている複数の制御情報を読み出すためのアドレス信号は、映像出力機器からの映像をピクチャ・イン・ピクチャ表示にするときでも、フル映像表示にするときでも、図４（Ｂ）に示した基本的な形式で出力される。但し、この第３の実施形態では、制御回路７５０からの制御に従って第１、第２及び第３の制御情報選択器７７４，７７５及び７７６を切換えることにより、第１の読出し専用メモリ７７２から出力される複数組の制御情報と第２の読出し専用メモリ７７３から出力される複数組の制御情報とを切換える事が可能である。この結果、外部映像出力機器へ送出される複数組の制御情報の優先順位を制御する事が可能となり、上述した第１及び第２の実施形態と同様の効果を得る事が可能となる。
【００４４】
なお、映像を最終的に可視表示する表示デバイスを、上記実施形態ではＣＲＴであるものとして説明しているが、例えば液晶パネルやプラズマパネルとしてもよいい。この場合、図１の偏向回路１３４や偏向ヨーク１４２等は不要となり、替わりに液晶パネルやプラズマパネルを制御するドライバ回路が必要となるが、これらの差異は本発明を実施する上で何ら影響を与えるものではない。したがって、上記実施形態で説明した映像表示装置１００、５００、７００等は、ブラウン管型テレビの他、直視型液晶テレビや前面投射型液晶プロジェクタ、プラズマディスプレイ等にも適用することが可能である。
【００４５】
また、チューナ１１０も本特許には必ずしも必要な要素ではなく、チューナ等を一切持たず外部からの映像入力のみを可視表示するディスプレイ装置であっても、本技術は有効である。
【００４６】
次に、本発明の第４の実施形態を、図８を用いて説明する。同図において、８００は本発明の映像表示装置である。また、図１、図５、図７と同一番号を有するものは図１、図５、図７と同様の動作をするものとし、詳細の説明を省略する。なお、映像表示装置８００は、基本的には図１を用いて説明した第１の実施形態における映像表示装置１００と同一の動作をするものである。
【００４７】
近年のデジタル映像機器では、映像信号をそれぞれ８ビットの輝度データ（Ｙ）及び色差データ（Ｐｂ、Ｐｒ）の合計２４ビットのデジタルデータとして扱う事が多くなってきている。この場合、例えば図１の主映像信号選択器１２２の周辺では、１２０本以上（２４ビット×（入力４＋出力１）＋制御信号）もの信号線が這い回ることとなる。したがって、信号基板作成の際には、信号線間クロストークを考慮したパターン配線が必要になる、基板面積の縮小が難しくなる、部品実装の難易度が増加する、等の問題が生じる。
【００４８】
そこで本実施形態における映像表示装置８００では、図１における音声選択器１２１、主映像選択器１２２、副映像選択器１２３及び入出力制御回路１６０ａ、１６０ｂ、１６０ｃ、アドレス選択器１７１及び分配器１７３等の機能を集約したデータ入出力選択回路８２０を用いている。より具体的には、データ入出力選択回路８２０を上記機能を１チップに封入した半導体集積回路（ＩＣ）として、映像表示装置８００に搭載する。１チップＩＣであるデータ入出力選択回路８２０を採用する事により、映像表示装置８００は、図１の映像表示装置１００と同様の機能を実現すると供に、信号基板設計時のパターン配線が容易になり、また部品点数削減による基板面積縮小、実装作業効率の向上、部品コストの削減等の効果を得る事が可能となる。
【００４９】
なお、上記データ入出力選択回路８２０は、図１の主スキャン変換回路１３１、副スキャン変換回路１３２及び合成回路１３３等の機能を更に集約しても良い。このようにすれば、上記パターン配線、基板面積、実装作業効率、部品コストの何れの面においても、更なる向上を見込む事ができる。
【００５０】
また、チューナ１１０から出力されてデータ入出力選択回路８２０に入力される映像及び音声は、デジタルデータであっても良いし、アナログ信号であっても良い。特にチューナ１１０がアナログ放送のみを受信するアナログチューナである場合には、チューナ１１０側で、受信した映像信号及び音声信号をデジタルサンプリングして出力しても良いし、チューナ１１０からはアナログ信号のまま出力し、データ入出力選択回路８２０内部にてデジタルサンプリング処理及び８ビットの輝度データ及び色差データへの変換処理を行っても良い。
【００５１】
【発明の効果】
本発明によれば、例えばピクチャ・イン・ピクチャ等で外部映像機器からの映像を小さくする際に、映像表示装置と外部映像出力機器との間の伝送レートを低く抑えることが可能となり、その結果、本映像表示装置と外部映像出力機器との間の伝送エラーの生じる可能性を少なくすることが可能となる。更に、本映像表示装置及び上記外部映像出力機器の制御回路の負荷低減を実現可能となる。
【図面の簡単な説明】
【図１】本発明に係る映像表示装置の第１の実施形態を説明するブロック図。
【図２】図１の入出力制御回路１６０の詳細な構成の一例を表すブロック図。
【図３】本発明の映像表示装置における合成画面の表示例を示す図。
【図４】図１の読出し専用メモリ１７２に記憶された制御情報のアドレスマップ、及び図２の指令復号回路から出力されるアドレス信号の出力フォーマットを説明する図。
【図５】本発明に係る映像表示装置の第２の実施形態を説明するブロック図。
【図６】図５の読書き兼用メモリ５７２に記憶された制御情報のアドレスマップの書換え処理を説明する図。
【図７】本発明に係る映像表示装置の第３の実施形態を説明するブロック図。
【図８】本発明に係る映像表示装置の第４の実施形態を説明するブロック図。
【符号の説明】
１００、５００、７００、８００…映像表示装置、１０１…受信端子、１０２、１０３、１０４…入出力端子、１１０…チューナ、１２１…音声選択器、１２２、１２３…映像選択器、１３０…信号処理回路、１３１、１３２…スキャン変換回路、１３３…合成回路、１３４…偏向回路、１３５…映像信号処理回路、１３６…音声信号処理回路、１４１…ＣＲＴ、１４２…偏向ヨーク、１４３…スピーカ、１５０、５５０、７５０、８５０…制御回路、１６０ａ、１６０ｂ、１６０ｃ…入出力制御回路、１６１ａ、１６１ｂ、１６１ｃ…受信回路、１６２ａ、１６２ｂ、１６２ｃ…情報制御回路、１７１…アドレス選択器、１７２、７７２、７７３…読出し専用メモリ、１７３…分配器、２１１…レシーバ、２１２…シリアル／パラレル変換器、２１３…指令復号回路、２１４…情報処理回路、２１５…パラレル／シリアル変換器、２１６…ドライバ、５７１…アドレス切換回路、５７２…読書き兼用メモリ、７７４、７７５、７７６…制御情報選択器、８２０…データ入出力選択回路
【図１】
2004013132.tif 000003
【図２】
2004013132.tif 000004
【図３】
2004013132.tif 000005
【図４】
2004013132.tif 000006
【図５】
2004013132.tif 000007
【図６】
2004013132.tif 000008
【図７】
2004013132.tif 000009
【図８】
2004013132.tif 000010